(57)【特許請求の範囲】
【請求項１】
肌当接面、非肌当接面及び該肌当接面と非肌当接面との間に介在する吸収体を具備する本体部分の両側に一対のサイドフラップを有し、前記肌当接面が外部に露出しないように折り畳まれた状態が、前記サイドフラップを長手方向に折り畳んで形成したフラップ積層部のシール加工により維持されており、
前記サイドフラップが、不織布のみからなる部分を有しており、該部分に対して前記シール加工が施されており、
前記吸収体の肌当接面側を被覆するシートと該吸収体の非肌当接面側を被覆するシートとが接合された接合部を有しており、該接合部とは別の箇所に前記シール加工が施されている、吸収性物品。
【請求項２】
前記シール加工が、超音波シール加工である請求項１記載の吸収性物品。
【請求項３】
前記吸収体の両側部の肌当接面側が、表面シート及び該表面シートの肌当接面側を覆うサイドシートによって被覆されており、
前記吸収体の非肌当接面側に裏面シートが配されており、
前記接合部は、前記サイドシートと前記裏面シートとが接合されて形成されており、前記サイドフラップの前記不織布のみからなる部分は、前記サイドシートにおける、前記接合部よりも幅方向外方に延出した部分である、請求項１又は２記載の吸収性物品。
【請求項４】
前記吸収体の肌当接面側に表面シートが配され、該吸収体の非肌当接面側に裏面シートが配されており、
前記接合部は、前記表面シートと前記裏面シートとが接合されて形成されており、
前記サイドフラップの前記不織布のみからなる部分は、前記表面シートにおける、前記本体部分から延出し且つ前記裏面シートの側縁部よりも延出した部分である、請求項１又は２記載の吸収性物品。
【請求項５】
前記吸収体の肌当接面側に表面シートが配され、該吸収体の非肌当接面側に裏面シートが配されており、
前記サイドフラップの前記不織布のみからなる部分は、前記本体部分の側縁部に固定した、不織布製シートからなり、
前記不織布製シートは、前記裏面シートと、前記吸収体の非肌当接面側に巻き下げられた前記表面シートとの間に接合固定されている、請求項１又は２記載の吸収性物品。
【請求項６】
前記非肌当接面に、非粘着性のズレ止め材が設けられている請求項１〜５の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
従来、生理用ナプキン、パンティライナー（おりものシート）等の吸収性物品においては、吸収性物品を使用時まで清潔に保つために、樹脂フィルム等からなる包装材で個別に包装することが広く行われている。このように個別包装された吸収性物品は、包装材から取り出す際に、包装材がカサカサする音を発生して、他人に吸収性物品の使用や交換等を気付かれたくない使用者を不安にさせることがある。また、分離した包装材の処理が必要で、その処理を煩わしく感じる使用者もいる。
【０００３】
吸収性物品を包装する包装材を省略可能とする技術が提案されている。
特許文献１には、吸収材の肌当接面が防水性の外装体で被覆され、該外装体の一部を除去して受容吸収ゾーンを露出させて使用する吸収ナプキンが記載されている。また、特許文献２には、生理用ナプキンの側面フラップを、未使用のナプキンが包装されている保護小袋の一体部分を形成するように設計したものが記載されている。
【０００４】
【特許文献１】欧州特許出願公開第０３４７３１９号明細書
【特許文献２】特表平２−５０１２７８号公報
【発明の開示】
【発明が解決しようとする課題】
【０００５】
しかし、特許文献１の吸収ナプキンは、防水性の外装体の一部を除去して、受容吸収ゾーンを露出させる際に、カサカサする音が発生する恐れがあり、また、外装体の一部の処理も必要である。
【０００６】
特許文献２の生理用ナプキンは、側部フラップを本体部分の幅方向に折り曲げ、該側部フラップで本体部分を包むように構成されているため、側部フラップを本体部分から幅方向外方に大きく延出させる必要があり、ナプキンの着用時に、該側部フラップが着用者に不快感を与える恐れがある。また、側部フラップを大きくする必要があるため、包装材を無くしても省資源にはならない。更に、特許文献２における側部フラップは、ナプキンの使用時にショーツ外面側に折り曲げられ、該ショーツ外面に止着されるものであり、ナプキンの長手方向中央部付近のみに設けられているため、未使用状態のナプキンを隙間無く包むことも困難である。
【０００７】
従って、本発明の目的は、包装材を使用することなく、吸収性物品を使用時まで清潔に保つことができる吸収性物品を提供することにある。
【課題を解決するための手段】
【０００８】
本発明は、肌当接面、非肌当接面及び該肌当接面と非肌当接面との間に介在する吸収体を具備する本体部分の両側に一対のサイドフラップを有し、前記肌当接面が外部に露出しないように折り畳まれた状態が、前記サイドフラップを長手方向に折り畳んで形成したフラップ積層部のシール加工により維持されている吸収性物品を提供することにより前記目的を達成したものである。
【発明の効果】
【０００９】
本発明の吸収性物品によれば、包装材を使用することなく、吸収性物品を使用時まで清潔に保つことができる。
【発明を実施するための最良の形態】
【００１０】
以下、本発明をその好ましい実施形態に基づいて詳細に説明する。
本発明の一実施形態としての生理用ナプキン１（以下、単に生理用ナプキン１ともいう）は、図１〜図３に示すように、肌当接面Ｐ、非肌当接面Ｑ及び該肌当接面Ｐと非肌当接面Ｑとの間に介在する吸収体４を具備する本体部分５と、本体部分５の両側に形成された左右一対のサイドフラップ６，６とを有する。図３に示すように、本体部分５の肌当接面Ｐは、液透過性の表面シート２と、吸収体４の両側部の肌当接面側において表面シート２を被覆するサイドシート７とから形成されており、本体部分５の非肌当接面Ｑは、液不透過性又は撥水性の裏面シート３から形成されている。
【００１１】
生理用ナプキン１は、図４及び図５に示すように、本体部分５の肌当接面Ｐが外部に露出しないように折り畳まれ、その状態が、サイドフラップ６，６をそれぞれ長手方向に折り畳んで形成したフラップ積層部６０のシール加工により維持されている。尚、図４，図８，図９においては、サイドフラップの積層部６０における、シール加工を施した部分を符号６１で示し、図１〜図３及び図７においては、当該シール部分に対応する部分（サイドフラップ６における、シール加工が施された部分）を符号６１で示してある。
【００１２】
図４に示す本実施形態の生理用ナプキン１は、図５（ａ）に示すように、フラップ６がシールされていない状態の生理用ナプキン１’を、その後方部Ａを中央部Ｂの肌当接面上に重ねるようにして折り畳み〔図５（ｂ）参照〕、次いで、前方部Ｃを、中央部Ｂに重ねた後方部Ａ上に重ねるようにして折り畳み〔図５（ｃ）参照〕、得られた３つ折り状態のナプキン１’におけるサイドフラップ６の積層部６０にシール加工を施して得られたものである。本実施形態におけるサイドフラップの積層部６０は、左右のサイドフラップ６，６がそれぞれ長手方向に３つ折り状態に折り畳まれて形成されており、サイドフラップ６０を構成するシート材が２層以上に積層されている。
【００１３】
サイドフラップの積層部６０に対するシール加工は、図５（ｃ）に示すように、サイドフラップの積層部６０を厚み方向に加圧して、積層された層間を接合する。
シール加工としては、ヒートシール、超音波シール、層間に接着剤を介在させての加圧等が挙げられるが、サイドフラップ６を柔軟に保ち、肌に接触することによる不快感を防止する観点からヒートシール又は超音波シールが好ましい。
【００１４】
また、サイドフラップ６は、できるだけ柔軟な材料からなることが好ましく、特にサイドフラップ６が、不織布のみからなる部分を有し、該部分に対してシール加工が施されていることが好ましい。この場合の不織布としては、エアスルー不織布、ヒートロール不織布、メルトブロー不織布、ＳＭＳ不織布、スパンレース不織布等が挙げられる。これらは、単独の不織布としても、２枚以上の不織布、あるいは不織布と不織布化していないウエブを積層して部分的に接着した積層不織布等であっても良い。
【００１５】
生理用ナプキン１においては、図３に示すように、サイドフラップ６の外縁部６２が、撥水性不織布からなるサイドシート７のみから形成されており、その外縁部６２にシール加工が施されている。サイドシート７は、外縁部とは反対側の端部が、吸収体４の側部の肌当接面側に位置し、防漏カフを形成している。
サイドフラップ６の一部を不織布製シートにより構成し、該一部にシール加工を施す他の例としては、図６に示すように、サイドフラップ６の外縁部６２を、樹脂フィルム製の裏面シート３の側縁部より延出した不織布製表面シート２により構成し、その外縁部にシール加工を施す方法、図７に示すように、サイドフラップ６の外縁部６２を、本体部分５の側縁部に固定した不織布製シート（表裏面シート及びサイドシート７とは別のシート）により構成し、その外縁部にシール加工を施す方法等が挙げられる。
【００１６】
本実施形態の生理用ナプキン１は、図４に示すように、非肌当接面Ｑに、非粘着性のズレ止め材８が設けられている。ズレ止め材８は、着用中にナプキン１がショーツ等の装着具の所定位置からずれないようにするものである。
非粘着性のズレ止め材８を設けることで、それを被覆保護する剥離紙を不要にすることができ、包装材を無くした場合に起こり得る、剥離紙の意図しない剥離等の問題を防止することができる。また、装着の際に、剥離紙を剥離する作業が不要であるため、素早くショーツに取り付けることができ、また、剥離紙の剥離に由来する音の発生も防止することができる。尚、図１〜図３、図５においては、ズレ止め材８の図示を省略してある。
【００１７】
非粘着性のズレ止め材としては、天然ゴム、スチレン−ブタジエンゴム、シリコーンゴム、クロロプレンゴム、ブチルゴム、スチレン−イソプレンゴム等をベースポリマーとするズレ止め材が好ましい。これらの中でもシリコーンゴムあるいはＳＩＳ、ＳＢＳの水添タイプエラストマーが好ましい。
ズレ止め材の非肌当接面への固定方法としては、ホットメルト接着剤のようにホットメルトコーターを用いた溶融塗工等が挙げられる。
非粘着性のズレ止め材は、図４に示すように、散点状に配置されていることが好ましい。散点状に配置することで、吸収性物品の非肌当接面を透湿性の材料で構成した場合にその透湿性が阻害されるのを最小限に抑えることができる。
また、非粘着性のズレ止め材としては、メカニカルファスナーのフック材を用いることもできる。フックとしては鈎状、キノコ状等、各種公知の形状のものを特に制限なく用いることができる。
【００１８】
また、本実施形態の生理用ナプキン１は、図４に示すように、本体部分５の非肌当接面Ｑに、伸長可能な廃棄用テープ９が設けられている。伸長可能な廃棄用テープ９を非肌当接面に設けることにより、ナプキン１の処理時に、丸めたナプキンを伸長させた廃棄用テープで固定でき、衛生的に処分することができると共に、ナプキン１の使用時に、廃棄用テープ９が着用者の肌に接触する不都合を防止することができる。
【００１９】
伸長可能な廃棄用テープ９としては、従来、パンツ型使い捨ておむつ等に用いられている各種公知のものを特に制限なく用いることができ、例えば、３つ折り状態に折り畳んだテープを展開することにより伸長可能なもの、テープ基材自体が伸長性の材料からなり、そのテープ基材を伸長させることにより伸長可能なもの等を用いることができる。前者の廃棄用テープ９の一例としては、ナプキンの非肌当接面に固定した固定部と、該固定部上に積層された中間部と、該中間部に積層された先端部とを有し、固定部と中間部との間が中間部側に設けられた粘着剤、中間部と先端部との間が先端部側に設けられた粘着剤により剥離可能に粘着されており、固定部と中間部との間及び中間部と先端部との間を剥離して引き伸ばすことのできるものを挙げることができる。また、実公平８−１０３０５号公報や特開２００２−６５７４５公報に記載のもの等を用いることもできる。
【００２０】
本実施形態の生理用ナプキン１においては、図２及び図３に示すように、吸収体４の肌当接面Ｐ側を被覆するシート（表面シート２又はサイドシート７）と非肌当接面側を被覆するシート（裏面シート３）との接合部１０とは別の箇所に、フラップ積層部６０のシール部６１が形成されている。より具体的には、ナプキン１の幅方向における接合部１０よりも外方の部位にシール加工が施されている。図６及び図７に示す各ナプキンにおいても同様であり、吸収体４の肌当接面側を被覆するシート（表面シート２）と非肌当接面側を被覆するシート（裏面シート３）との接合部１０とは別の箇所に、フラップ積層部のシール部６１が形成されている。
このように、フラップ積層部のシールを、吸収体４の肌当接面側を被覆するシートと非肌当接面を被覆するシートとの接合部１とは別の箇所に設けると、生理用ナプキンを使用する際に、図４に示すような折り畳み状態の生理用ナプキン１のシール部６１を剥離する際に、接合部１０の接合が同時に剥離してしまう恐れが無く、また、シール部６１を強く接合し過ぎて、剥離困難となったり、剥離時にシール部６１が変に切れたり破れたりすることもない。
【００２１】
本実施形態の生理用ナプキン１は、図４に示すように、本体部分５の肌当接面Ｐが外部に露出しないように折り畳まれた状態が、サイドフラップを長手方向に折り畳んで形成したフラップ積層部６０のシール加工により維持されているため、包装材を使用することなく、その肌当接面を使用時まで清潔に保つことができる。ナプキンの外面は汚れる可能性はあるが、通常の保管状態であれば、汚れてもその程度は小さく特に問題はない。
【００２２】
本実施形態の生理用ナプキン１を使用する際には、上述した通り、図４に示す折り畳み状態の生理用ナプキン１のシール部６１を剥離する。生理用ナプキン１の折り畳み状態において、外面に位置する生理用ナプキン１の長手方向の端部は、図２及び図４に示すように、円弧状に形成されており、当該端部を摘んで展開することにより、容易に展開することができるので好ましい。
シール部６１を剥離した生理用ナプキン１は、ショーツのクロッチ部等に配置して使用することができる。
このように、本実施形態の生理用ナプキン１においては、使用に際して、包装材を剥離する必要がないので、スピーディにショーツ等の装着具に装着でき、また、包装材を剥離する際の音により、他人にナプキンの使用や交換等を気付かれることもない。また、分離した包装材を処理する煩わしさもない。更に、包装材を無くすことができるので、省資源である。
【００２３】
本実施形態の生理用ナプキン１の各部の形成材料としては、当該技術分野において通常用いられている材料を特に制限無く用いることができる。
例えば、表面シートとしては、親水化処理が施された各種不織布や開孔フィルム等の液透過性のシートを用いることができる。また、裏面シート３としては、熱可塑性樹脂のフィルムや、該フィルムと不織布とのラミネート等の液透過性ないし撥水性のシートを用いることができる。裏面シート３の基材には、透湿性を有するものを用いることもできる。透湿性を有する裏面シート３に用いられる基材としては、疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。サイドシート７としては、エアスルー、ヒートロール、スパンボンド、メルトブロー等の各種製法による撥水性の不織布を好ましく用いることができる。
【００２４】
以下、本発明の他の実施形態としての生理用ナプキンについて図８〜図１０を参照して説明する。これらの生理用ナプキンについては、上述した生理用ナプキン１と異なる点について説明し、同様の点は同一の符号を付して説明を省略する。特に説明しない点は、上述した生理用ナプキン１についての説明が適宜適用される。
【００２５】
図８に示す生理用ナプキン１Ａにおいては、本体部分５が２つ折り状態に折り畳まれており、その折り畳み状態が、サイドフラップが長手方向に二つ折りされて形成されたフラップ積層部６０に対するシール加工により維持されている。そのシール部を符号６１で示す。生理用ナプキン１Ａにおいては、ナプキン１Ａの長手方向の両端部同士もシールされてシール部６３が形成されている。
【００２６】
図９に示す生理用ナプキン１Ｂにおいては、本体部分５が４つ折り状態に折り畳まれており、その折り畳み状態が、サイドフラップが長手方向に四つ折りされて形成されたフラップ積層部６０に対するシール加工により維持されている。そのシール部を符号６１で示す。
【００２７】
図８及び図９に示す生理用ナプキンにおいても、本体部分５の肌当接面が外部に露出しないように折り畳まれた状態が、包装材を使用することなく維持されており、上述した生理用ナプキン１と同様の作用効果が得られる。尚、図８及び図９の生理用ナプキンにおいても、上述した生理用ナプキン１と同様に、非肌当接面Ｑに非粘着性のズレ止め材を設け、また、非肌当接面Ｑに廃棄用テープを設けることが好ましい。
【００２８】
図１０に示す生理用ナプキンにおいては、サイドフラップ積層部６０における、シール加工によるシール部６１の内側にミシン目６４が入っている。ミシン目が入っていると、開封時にミシン目部分で切り裂けるので、わずかな力で開封することができる。ミシン目６４は、ミシン目を入れた箇所より外方全体を切り取って開封するものであっても良いし、図１０（ｂ）に示すように、ナプキンの長手方向の一部６５には、ミシン目を入れず、そこに折り重ねられた部分６６のみにミシン目６４を入れることもできる。
【００２９】
図１０に示す生理用ナプキンにおいては、ナプキンの長手方向の中央部（図５中のＢ領域）にはミシン目が入れられておらず、該長手方向中央部に折り重ねられた部位（図５中のＡ及びＣ領域）にはミシン目６４が入れられている。このように、ナプキンの長手方向の一部にミシン目を入れず、そこに折り重ねられた部分のみにミシン目を入れることで、図１０（ｃ）に示すように、ミシン目を切り裂いて開封してもゴミがでないようにすることができ、また、開封に要する力を一層低減することができる。尚、本体部分の側方に残るシール部は、使用時に違和感のないような柔らかなシール部であることが望ましい。
【００３０】
本発明は、上述した実施形態に制限されず、適宜変更可能である。
ズレ止め材の配置パターンは、生理用ナプキン１のような散点状（ドット状）のパターンに代えて、格子状やストライプ状に塗工することもできる。また、散点状（ドット状）にパターン塗工する場合の各ドットの形状も、円形の他、楕円形、矩形、三角形、菱形、ハート形、星形等の任意の形状とすることができる。
また、本発明における吸収性物品は、生理用ナプキンの他、パンティライナー（おりものシート）、失禁パッド等であっても良い。
【図面の簡単な説明】
【００３１】
【図１】本発明の吸収性物品の一実施形態としての生理用ナプキンを展開した状態を示す斜視図である。
【図２】図２は、図１の生理用ナプキンの平面図である。
【図３】図３は、図２のＸ−Ｘ線断面の一部を拡大して示す模式断面図である。
【図４】図４は、図１の生理用ナプキンの折り畳み状態を示す斜視図である。
【図５】図５は、図４に示す生理用ナプキンを製造する際の折り畳み方を示す斜視図である。
【図６】図６は、本発明の他の実施形態としての生理用ナプキンを示す図（図３相当図）である。
【図７】図７は、本発明の更に他の実施形態としての生理用ナプキンを示す図（図３相当図）である。
【図８】図８は、本発明の更に他の実施形態としての生理用ナプキンを示す図で、（ａ）は斜視図、（ｂ）は、（ａ）のＹ−Ｙ線模式断面である。
【図９】図９は、本発明の更に他の実施形態としての生理用ナプキンを示す図で、（ａ）は斜視図、（ｂ）は、（ａ）のＺ−Ｚ線模式断面である。
【図１０】図１０は、本発明の更に他の実施形態としての生理用ナプキンを示す図で、（ａ）は斜視図、（ｂ）は、（ａ）のＩＩ−ＩＩ線模式断面、（ｃ）は、ミシン目を切断して開封した状態を示す斜視図である。
【符号の説明】
【００３２】
１，１Ａ，１Ｂ    生理用ナプキン（吸収性物品）
５    本体部分
６    サイドフラップ
６０  フラップ積層部
６１  シール部（シール加工を施した部分）
７    サイドシート
８    ズレ止め材
９    廃棄用テープ
【図１】
0004508966.tif 000002
【図２】
0004508966.tif 000003
【図３】
0004508966.tif 000004
【図４】
0004508966.tif 000005
【図５】
0004508966.tif 000006
【図６】
0004508966.tif 000007
【図７】
0004508966.tif 000008
【図８】
0004508966.tif 000009
【図９】
0004508966.tif 000010
【図１０】
0004508966.tif 000011